(57)【要約】【課題】小型化に寄与する。【解決手段】操作装置１０では、スライドノブ８０の下側にロータリーノブアッシー４０が配置されており、内筒４２Ｄが、ロータリーノブアッシー４０から上側へ突出されて、スライドノブ８０の鍔部８０Ｄに対して径方向内側に配置されている。ここで、内筒４２Ｄは、弾性変形可能な軟質材料によって構成されている。このため、スライドノブ８０が、スライド操作されたときに、内筒４２Ｄがスライドノブ８０の開口端部やスライドノブ８０の内部の部位に当たると、内筒４２Ｄが弾性変形する。すなわち、スライドノブ８０の径方向における内筒４２Ｄと鍔部８０Ｄとの間の距離を、スライド操作時におけるスライドノブ８０のストロークよりも短くしても、スライドノブ８０の操作を許容することができる。これにより、操作装置１０の小型化に寄与することができる。【選択図】図１
2019110034.tif 000002
【特許請求の範囲】
【請求項１】
筒状を成す第１部材と、
前記第１部材の軸方向一方側に設けられ、前記第１部材の軸方向一端部と対向して配置された第２部材と、
前記第２部材に設けられ、前記第２部材から前記第１部材の軸方向他方側へ延出され且つ前記第１部材の軸方向一端部に対して前記第１部材の径方向内側に配置された筒状の内壁と、
を備え、
前記第１部材が、前記第１部材の軸線に対して直交する方向にスライド操作可能に又は当該軸線の軸方向に対して傾倒するチルト操作可能に構成され、
前記内壁が、弾性変形可能な軟質材料によって構成されていることを特徴とする操作装置。
【請求項２】
筒状を成す第１部材と、
前記第１部材の軸方向一方側に設けられ、前記第１部材の軸方向一端部と対向して配置された第２部材と、
前記第２部材に設けられ、前記第２部材から前記第１部材の軸方向他方側へ延出され且つ前記第１部材の軸方向一端部に対して前記第１部材の径方向内側に配置された筒状の内壁と、
を備え、
前記第１部材及び前記第２部材の一方が、前記第１部材の軸線に対して直交する方向にスライド操作可能に又は当該軸線の軸方向に対して傾倒するチルト操作可能に構成され、
前記第１部材及び前記第２部材の他方が、前記軸線回りに回転操作可能に構成され、
前記内壁が、弾性変形可能な軟質材料によって構成されていることを特徴とする操作装置。
【請求項３】
前記第２部材は、前記第１部材よりも大径を成す筒状のベース部を備え、
前記ベース部は、前記ベース部から径方向外側へ突出された把持部を有しており、前記把持部と前記内壁とが同一材料で構成されていることを特徴とする請求項２に記載の操作装置。
【請求項４】
前記ベース部は、硬質材料で構成されており、
前記第２部材では、軟質材料と硬質材料とが一体に形成されていることを特徴とする請求項３に記載の操作装置。
【請求項５】
前記第１部材が、前記スライド操作可能に又は前記チルト操作可能に構成されると共に、前記第２部材が、前記回転操作可能に構成され、
前記第２部材は、前記ベース部の径方向内側に配置された筒状の本体部を有し、
前記本体部の径方向内側には、前記本体部の内周面に形成された節度山に当接され且つ前記第２部材の回転操作時に操作者に節度感を付与する節度部材を含んで構成された節度機構が設けられており、
前記本体部の外周面には、前記節度機構に対して前記本体部の径方向外側において、前記軟質材料で構成された防音部が一体に形成されている請求項３又は請求項４に記載の操作装置。
【請求項６】
前記防音部が、前記本体部の周方向全周に亘って形成されていることを特徴とする請求項５に記載の操作装置。
【発明の詳細な説明】
【技術分野】
【０００１】
本発明は、操作装置に関する。
【背景技術】
【０００２】
下記特許文献１に記載の操作装置では、有底筒状を成す操作体（第１部材）が、プッシュ操作可能に及び傾倒操作（チルト操作）可能に構成されている。このため、操作装置が複合型の操作装置として構成されている。
【０００３】
また、この操作装置では、操作体の開口側に、ケース（第２部材）が設けられている。このケースには、操作体側へ突出された壁部（内筒）が形成されており、壁部は、操作体の開口端部の径方向内側に配置されている。これにより、液滴等が操作体の開口部から操作体の内部へ浸入することを、当該壁部によって抑制できる。
なお、複合型の操作装置としては、操作体がスライド操作されるものなどもある。
【先行技術文献】
【特許文献】
【０００４】
【特許文献１】特許５６１７４３３号公報
【発明の概要】
【発明が解決しようとする課題】
【０００５】
ここで、操作体のスライド操作やチルト操作では、操作体が操作体の軸線に対して相対変位する。これにより、操作体の操作時における壁部と操作体（の開口部）との干渉を抑制するために、操作体の内側に配置された壁部と操作体の開口部との間の隙間を大きく設定する必要がある。このため、操作体の径方向において操作装置が大型化する傾向になる。
【０００６】
本発明は、上記事実を考慮して、小型化に寄与することができる操作装置を提供する。
【課題を解決するための手段】
【０００７】
形態１：本発明の１又はそれ以上の実施形態は、筒状を成す第１部材と、前記第１部材の軸方向一方側に設けられ、前記第１部材の軸方向一端部と対向して配置された第２部材と、前記第２部材に設けられ、前記第２部材から前記第１部材の軸方向他方側へ延出され且つ前記第１部材の軸方向一端部に対して前記第１部材の径方向内側に配置された筒状の内壁と、を備え、前記第１部材が、前記第１部材の軸線に対して直交する方向にスライド操作可能に又は当該軸線の軸方向に対して傾倒するチルト操作可能に構成され、前記内壁が、弾性変形可能な軟質材料によって構成されていることを特徴とする操作装置である。
【０００８】
形態２：本発明の１又はそれ以上の実施形態は、筒状を成す第１部材と、前記第１部材の軸方向一方側に設けられ、前記第１部材の軸方向一端部と対向して配置された第２部材と、前記第２部材に設けられ、前記第２部材から前記第１部材の軸方向他方側へ延出され且つ前記第１部材の軸方向一端部に対して前記第１部材の径方向内側に配置された筒状の内壁と、を備え、前記第１部材及び前記第２部材の一方が、前記第１部材の軸線に対して直交する方向にスライド操作可能に又は当該軸線の軸方向に対して傾倒するチルト操作可能に構成され、前記第１部材及び前記第２部材の他方が、前記軸線回りに回転操作可能に構成され、前記内壁が、弾性変形可能な軟質材料によって構成されていることを特徴とする操作装置である。
【０００９】
形態３：前記第２部材は、前記第１部材よりも大径を成す筒状のベース部を備え、前記ベース部は、前記ベース部から径方向外側へ突出された把持部を有しており、前記把持部と前記内壁とが同一材料で構成されていることを特徴とする操作装置である。
【００１０】
形態４：本発明の１又はそれ以上の実施形態は、前記ベース部は、硬質材料で構成されており、前記第２部材では、軟質材料と硬質材料とが一体に形成されていることを特徴とする操作装置である。
【００１１】
形態５：本発明の１又はそれ以上の実施形態は、前記第１部材が、前記スライド操作可能に又は前記チルト操作可能に構成されると共に、前記第２部材が、前記回転操作可能に構成され、前記第２部材は、前記ベース部の径方向内側に配置された筒状の本体部を有し、前記本体部の径方向内側には、前記本体部の内周面に形成された節度山に当接され且つ前記第２部材の回転操作時に操作者に節度感を付与する節度部材を含んで構成された節度機構が設けられており、前記本体部の外周面には、前記節度機構に対して前記本体部の径方向外側において、前記軟質材料で構成された防音部が一体に形成されている操作装置である。
【００１２】
形態６：本発明の１又はそれ以上の実施形態は、前記防音部が、前記本体部の周方向全周に亘って形成されていることを特徴とする操作装置である。
【発明の効果】
【００１３】
本発明の１又はそれ以上の実施形態によれば、小型化に寄与することができる。
【図面の簡単な説明】
【００１４】
【図１】図１（Ａ）は、本実施の形態に係る操作装置のスライドノブの第２方向一方側の端部周辺を示す断面図であり、図１（Ｂ）は、スライドノブの第２方向他方側の端部周辺を示す断面図である。
【図２】図２は、本実施の形態に係る操作装置を示す平面図である。
【図３】図３（Ａ）は、図２に示される操作装置を第１方向一方側から見た断面図（図２の３−３線断面図）であり、図３（Ｂ）は、図３（Ａ）に示される状態からスライドノブが第２方向一方側へスライド操作された状態を示す断面図である。
【図４】図４（Ａ）は、図２に示される操作装置を第２方向一方側から見た断面図（図２の４−４線断面図）であり、図４（Ｂ）は、図４（Ａ）に示される状態からスライドノブが第１方向一方側へスライド操作された状態を示す断面図である。
【図５】図５は、図２に示される操作装置の分解斜視図である。
【図６】図６は、図４（Ａ）に示されるプレートの先端部周辺の拡大図であり、図６（Ａ）は、第１検出部とリフレクタリングの凸部とが上下方向に対向配置された状態を示す拡大図であり、図６（Ｂ）は、第１検出部とリフレクタリングの凹部とが上下方向に対向配置された状態を示す拡大図である。
【図７】図７は、図３に示される検出機構のプレート周辺を示す一部破断した平面図である。
【図８】図８（Ａ）は、図２に示されるスライドノブを第１方向一方側へ操作したときの検出機構におけるプレートの作動状態を示す平面図であり、図８（Ｂ）は、スライドノブを第１方向他方側へ操作したときのプレートの作動状態を示す平面図である。図８（Ｃ）は、スライドノブを第２方向一方側へ操作したときのプレートの作動状態を示す平面図であり、図８（Ｄ）は、スライドノブを第２方向他方側へ操作したときのプレートの作動状態を示す平面図である。
【図９】図９（Ａ）は、図６（Ａ）に示される状態からスライドノブを第１方向一方側へ操作したときのプレートを示す断面図であり、図９（Ｂ）は、図６（Ａ）に示される状態からスライドノブを第１方向他方側へ操作したときのプレートを示す断面図である。
【図１０】図１０（Ａ）は、図２に示されるロータリーノブアッシーの回転操作前におけるリフレクタリングの凹凸部と第１検出部との対向配置状態を説明するための説明図であり、図１０（Ｂ）は、図１０（Ａ）の状態からロータリーノブアッシーを回転方向一方側へ１ピッチ回転させたときの凹凸部と第１検出部との対向配置状態を説明するための説明図である。図１０（Ｃ）は、図１０（Ｂ）の状態からロータリーノブアッシーを回転方向一方側へ１ピッチ回転させたときの凹凸部と第１検出部との対向配置状態を説明するための説明図であり、図１０（Ｄ）は、図１０（Ｃ）の状態からロータリーノブアッシーを回転方向一方側へ１ピッチ回転されたときの凹凸部と第１検出部との対向配置状態を説明するための説明図である。
【図１１】図１１（Ａ）は、図８に示される各状態の第１検出及び第２検出の出力信号を示す表であり、図１１（Ｂ）は、図１０に示される各状態の第１検出及び第２検出の出力信号を示す表である。
【図１２】図１２は、操作装置の変形例を示す操作部材周辺の断面図である。
【発明を実施するための形態】
【００１５】
以下、図面を用いて、本実施の形態に係る操作装置１０について説明する。操作装置１０は、例えば、車両（自動車）に搭載されて、車両用機器を操作する装置として構成されている。図２〜図５に示されるように、操作装置１０は、全体として、略円柱状に形成されている。なお、図面において、適宜示される矢印Ａは、操作装置１０の軸線ＡＬの軸線方向一方側（下側）を示しており、矢印Ｂは、軸線ＡＬの軸線方向他方側（上側）を示している。また、以下の説明では、上側から見た平面視で、軸線ＡＬを通過する仮想基準線を第１基準線Ｌ１（図２参照）とし、軸線ＡＬを通過し且つ第１基準線Ｌ１と直交する仮想基準線を第２基準線Ｌ２（図２参照）としている。さらに、第１基準線Ｌ１の延在方向（図２の矢印Ｃ及び矢印Ｄ方向）を第１方向とし、第２基準線Ｌ２の延在方向（図２の矢印Ｅ及び矢印Ｆ方向）を第２方向としている。
【００１６】
操作装置１０は、操作装置１０の下側部分の外郭を構成する、ケース１２及びリッド２０を有している。このケース１２内には、基板３０、「第２部材」としてのロータリーノブアッシー４０、スライド機構５０、及びスライド操作機構６０が、収容されている。そして、ロータリーノブアッシー４０及びスライド操作機構６０の一部が、操作可能にケース１２から上側に露出されている。さらに、操作装置１０は、ロータリーノブアッシー４０及びスライド操作機構６０に対する操作を検出するための検出機構９０を有している。以下、操作装置１０の各構成について説明する。
【００１７】
（ケース１２について）
ケース１２は、上下方向を軸方向とした略円筒状に形成されて、軸線ＡＬと同軸上に配置されている。ケース１２の上端部における直径寸法は、他の部分に比べて小さく設定されている。このため、ケース１２の上端部が、ケース１２の径方向内側へ張り出されている。
【００１８】
（リッド２０について）
リッド２０は、上下方向を板厚方向とした略円板状に形成されている。このリッド２０の外周部には、上方側へ突出されたリブ２０Ａが一体に形成されており、リブ２０Ａは、リッド２０の周方向全周に亘って形成されている。そして、リブ２０Ａが、下側からケース１２の開口部内に嵌入されて、リッド２０がケース１２に固定されている。これにより、ケース１２の下端部が、リッド２０によって閉塞されている。
【００１９】
リッド２０の略中央部には、上側へ隆起された隆起部２２が形成されており、隆起部２２は、下側へ開放された有底円筒状に形成されている。隆起部２２の上壁における中央部には、後述するピン６４を支持するための支持凹部２２Ａが形成されており、支持凹部２２Ａは、軸線ＡＬと同軸上に配置されている。この支持凹部２２Ａは、上側へ開放された凹状に形成されており、支持凹部２２Ａの内周面が、球面状の凹面によって構成されている。また、支持凹部２２Ａの径方向外側には、４箇所の傾斜凹部２２Ｂが形成されている。傾斜凹部２２Ｂは、支持凹部２２Ａの周方向に等間隔に配置されている。具体的には、平面視で、２箇所の傾斜凹部２２Ｂが、第１基準線Ｌ１に沿って配置されており、他の２箇所の傾斜凹部２２Ｂが、第２基準線Ｌ２に沿って配置されている。また、傾斜凹部２２Ｂは、支持凹部２２Ａの径方向から見て、上側へ開放された略半円状に形成されており、傾斜凹部２２Ｂの深さが、支持凹部２２Ａ側へ向かうに従い深くなるように、傾斜凹部２２Ｂが傾斜されている。
【００２０】
また、リッド２０には、後述する基板３０を固定するための複数（本実施の形態では、３箇所）の固定ボス２０Ｂが形成されている。固定ボス２０Ｂは、上下方向を軸方向とした略円筒状に形成されて、リッド２０から上側へ突出されると共に、隆起部２２の径方向外側において所定の位置に配置されている。
【００２１】
（基板３０について）
基板３０は、上下方向を板厚方向とし、中央部に孔部３０Ａを有する略円環板状に形成されている。基板３０は、リッド２０のリブ２０Ａの上側に載置されて、後述するホルダ５２と共にネジＳＣ１によってリッド２０の固定ボス２０Ｂに固定されている。なお、基板３０の固定状態では、リッド２０の隆起部２２が、基板３０の孔部３０Ａ内に配置されて、基板３０が隆起部２２の径方向外側に配置されている。
【００２２】
図７に示されるように、基板３０の上面には、後述するスライド操作機構６０及びロータリーノブアッシー４０の位置変化を検出するための一対の第１検出部３２Ａ，３２Ｂが設けられている（実装されている）。一対の第１検出部３２Ａ，３２Ｂは、基板３０の径方向中間部において、基板３０の周方向に９０度離間して配置されている。具体的には、一方の第１検出部３２Ａが、リッド２０の隆起部２２に対して第１方向他方側に配置されると共に、平面視で第１基準線Ｌ１と一致した位置に配置されている。一方、他方の第１検出部３２Ｂは、隆起部２２に対して第２方向他方側に配置されと共に、平面視で第２基準線Ｌ２と一致した位置に配置されている。
【００２３】
また、基板３０の上面には、後述するスライド操作機構６０及びロータリーノブアッシー４０の何れの操作であるのかを検出するための第２検出部３４が設けられている（実装されている）。第２検出部３４は、基板３０の内周部において、一方の第１検出部３２Ａに対して第１方向一方側に配置されている。
【００２４】
図６にも示されるように、第１検出部３２Ａ，３２Ｂ及び第２検出部３４は、フォトリフレクタとして構成されている。すなわち、第１検出部３２Ａ，３２Ｂ及び第２検出部３４は、発光部及び受光部を有しており、発光部が、光を上側（具体的には、後述する検出機構９０側）へ照射して、受光部が、検出機構９０によって下側へ反射された光を受光するようになっている。
【００２５】
また、第１検出部３２Ａ，３２Ｂ及び第２検出部３４には、制御部３６（図５参照）が電気的に接続されている。そして、第１検出部３２Ａ，３２Ｂ及び第２検出部３４が、受光部によって受光した光に基づいて、制御部３６へ出力信号（オン信号又はオフ信号）を出力して、制御部３６が、第１検出部３２Ａ，３２Ｂ及び第２検出部３４からの出力信号に基づいて、スライド操作機構６０及びロータリーノブアッシー４０の操作を検知する構成になっている。
【００２６】
（ロータリーノブアッシー４０について）
図１〜図５に示されるように、ロータリーノブアッシー４０は、全体として上下方向を軸方向とした略円筒状に形成されている。そして、ロータリーノブアッシー４０は、軸線ＡＬと同軸上に配置されて、ロータリーノブアッシー４０の下側部分がケース１２内に回転可能に収容されている。また、ロータリーノブアッシー４０は、後述するホルダ５２によって、軸線ＡＬ回りに回転可能に支持されている。
【００２７】
ロータリーノブアッシー４０は、軟質材料（本実施の形態では、軟質の樹脂材（エラストマ））によって構成された軟質部４２と、硬質材料（本実施の形態では、硬質の樹脂材（ＡＢＳ樹脂））によって構成された硬質部４４と、によって構成され、２色成形等の手法によって製作されている。具体的には、ロータリーノブアッシー４０は、硬質部４４を主要部として構成されており、硬質部４４の上端部に軟質部４２が一体に形成されている（図３及び図４参照）。
【００２８】
より詳しくは、図１（Ａ）及び（Ｂ）に示されるように、硬質部４４は、略円筒状に形成された「本体部」としてのノブ本体部４４Ａと、ノブ本体部４４Ａの上端部の径方向外側に配置され且つ円筒状に形成されたベース部４４Ｂと、を含んで構成されている。そして、ノブ本体部４４Ａとベース部４４Ｂとが、図示しない位置において、連結されている。また、ベース部４４Ｂには、後述する把持部４２Ｂを配置するための複数の孔部４４Ｂ１が貫通形成されている。孔部４４Ｂ１は、ベース部４４Ｂの周方向に所定間隔毎に並んで配置されると共に、ベース部４４Ｂの周方向に延在されている。
【００２９】
一方、軟質部４２は、ノブ本体部４４Ａの上端部を上側及び径方向内側及び外側から被覆する軟質本体部４２Ａを有している。軟質本体部４２Ａは、縦断面視で、下側へ開放された略Ｕ字形状に形成されて、ノブ本体部４４Ａの周方向全周に亘って形成されている。そして、軟質本体部４２Ａの径方向外側部分が、ノブ本体部４４Ａの上端部及びベース部４４Ｂの間に配置されている。また、軟質部４２は、ベース部４４Ｂの孔部４４Ｂ１に対応する位置において、複数（本実施の形態では、１２箇所）の把持部４２Ｂを有している。把持部４２Ｂは、軟質本体部４２Ａの径方向外側部分から径方向外側へ突出されると共に、ベース部４４Ｂの孔部４４Ｂ１内を挿通している。そして、把持部４２Ｂの先端部が、ベース部４４Ｂからロータリーノブアッシー４０の径方向外側へ突出すると共に、孔部４４Ｂ１に対応して周方向に延在されている。これにより、把持部４２Ｂが、ロータリーノブアッシー４０の周方向に所定間隔毎に並んで配置されている。
【００３０】
また、軟質本体部４２Ａの径方向外側部分における下端部は、防音部４２Ｃとされており、防音部４２Ｃは、縦断面視で、ノブ本体部４４Ａの外形に対応して、径方向内側に略クランク状に屈曲されて、ノブ本体部４４Ａの外周面を被覆している。
【００３１】
さらに、軟質本体部４２Ａの上面における径方向内側縁部には、「内壁」としての内筒４２Ｄが一体に形成されており、内筒４２Ｄは、略円筒状に形成されて、軟質本体部４２Ａから上側へ延出されている。そして、前述したように、軟質部４２が軟質材料によって構成されているため、内筒４２Ｄは、ロータリーノブアッシー４０の径方向に弾性変形可能に構成されている。また、内筒４２Ｄの肉厚は、軟質部４２における内筒４２Ｄ以外の部分の肉厚に比べて薄く設定されている。
【００３２】
また、図３〜図５に示されるように、ロータリーノブアッシー４０（ノブ本体部４４Ａ）の上下方向中間部には、複数（本実施の形態では、４箇所）の保持爪４４Ｃが一体に形成されている。複数の保持爪４４Ｃは、ロータリーノブアッシー４０の周方向に９０度毎に離間して配置されている。また、保持爪４４Ｃは、上端部をロータリーノブアッシー４０に接続した略矩形板状に形成されると共に、ロータリーノブアッシー４０の径方向に弾性変形可能に構成されている。さらに、保持爪４４Ｃの下端部には、ロータリーノブアッシー４０の径方向内側へ突出された保持爪部４４Ｃ１が一体に形成されている。
【００３３】
ロータリーノブアッシー４０（ノブ本体部４４Ａ）の内周面には、複数の保持爪４４Ｃの上側で且つ複数の保持爪４４Ｃの間の位置において、保持突起４４Ｄが形成されている（すなわち、４箇所の保持突起４４Ｄが形成されている）。保持突起４４Ｄは、ロータリーノブアッシー４０の周方向に延在されたリブ状に形成されている。
【００３４】
図１にも示されるように、ロータリーノブアッシー４０（ノブ本体部４４Ａ）の内周面には、複数（本実施の形態では、２０箇所）の節度山４４Ｅが一体に形成されている。複数の節度山４４Ｅは、ロータリーノブアッシー４０の周方向に並んで配置されると共に、ロータリーノブアッシー４０の周方向全周亘って形成されている。そして、節度山４４Ｅの上下位置が、防音部４２Ｃの上下位置に対応して設定されている。すなわち、ノブ本体部４４Ａの径方向において、防音部４２Ｃと節度山４４Ｅとが対向配置されている。また、節度山４４Ｅは、平面視で、ロータリーノブアッシー４０の径方向内側へ凸となる略円弧状に湾曲している。
【００３５】
（スライド機構５０について）
図３〜図５に示されるように、スライド機構５０は、後述するスライド操作機構６０を第１方向及び第２方向へスライド（移動）可能に保持する機構として構成されている。このスライド機構５０は、ホルダ５２と、スライダ５４と、を含んで構成されて、ロータリーノブアッシー４０の内部に収容されている。
【００３６】
＜ホルダ５２について＞
ホルダ５２は、下側へ開放された略有底円筒状に形成されている。ホルダ５２は、基板３０の上側に隣接して配置されており、ホルダ５２の下端部が、ネジＳＣ１によって基板３０と共にリッド２０の固定ボス２０Ｂに固定されている。ホルダ５２の外周部における上端部には、径方向外側へ若干張り出された固定鍔５２Ａが一体に形成されており、固定鍔５２Ａは、ホルダ５２の周方向全周に亘って形成されている。そして、固定鍔５２Ａが、ロータリーノブアッシー４０の保持爪部４４Ｃ１と保持突起４４Ｄとによって上下に挟み込まれて、ロータリーノブアッシー４０がホルダ５２に保持されている。具体的には、ホルダ５２をロータリーノブアッシー４０内に下側から挿入し、ロータリーノブアッシー４０の保持爪４４Ｃが、固定鍔５２Ａによって押圧されて、径方向外側へ弾性変形する。これにより、固定鍔５２Ａが、保持爪部４４Ｃ１と保持突起４４Ｄとの間に配置されて、ロータリーノブアッシー４０がホルダ５２に組付けられている。また、ロータリーノブアッシー４０がホルダ５２に組付けられた状態では、ロータリーノブアッシー４０がホルダ５２に相対回転可能に組付けられている。これにより、ロータリーノブアッシー４０がホルダ５２に回転可能に支持されている。
【００３７】
ホルダ５２の上壁の上面には、収容部５２Ｂが形成されている。この収容部５２Ｂは、上側へ開放された凹状を成すと共に、平面視で第２方向を長手方向とする略トラック形状に形成されている。収容部５２Ｂの略中央部には、第２方向を長手方向とする略矩形状の挿通孔５２Ｃが貫通形成されている。挿通孔５２Ｃは、長手方向中間部において、第１方向一方側及び他方側へ延出されたスリット状の第１スリット孔５２Ｃ１を有している。また、挿通孔５２Ｃは、第２方向他方側端部において、第１方向一方側及び他方側へ延出されたスリット状の第２スリット孔５２Ｃ２を有している。
【００３８】
また、収容部５２Ｂの第２方向一方側の端部には、支持柱５２Ｄが形成されている。支持柱５２Ｄは、略矩形柱状に形成されて、収容部５２Ｂから上方側へ突出されている。また、支持柱５２Ｄには、収容凹部５２Ｄ１が形成されており、収容凹部５２Ｄ１は、第２方向一方側へ開放された凹状に形成されると共に、第２方向一方側から見て略矩形状に形成されている。そして、収容凹部５２Ｄ１には、節度機構５６（図３参照）が収容されている。
【００３９】
ここで、節度機構５６について説明する。図１（Ａ）に示されるように、節度機構５６は、節度部材５７と、圧縮コイルスプリングとして構成された付勢バネ５８と、を含んで構成されている。節度部材５７は、第２方向に延在された略矩形柱状に形成されて、第２方向（すなわち、ロータリーノブアッシー４０の径方向）において相対移動可能に収容凹部５２Ｄ１内に収容されている。付勢バネ５８は、収容凹部５２Ｄ１内に収容されて、収容凹部５２Ｄ１の底部と節度部材５７との間に配置されている。これにより、付勢バネ５８の付勢力によって節度部材５７が第２方向一方側（ロータリーノブアッシー４０の径方向外側）へ付勢されている。また、節度部材５７の第２方向一方側の端部には、略半球状の節度部５７Ａが一体に形成されており、節度部５７Ａが、ロータリーノブアッシー４０において周方向に隣り合う節度山４４Ｅの間に配置されている。これにより、前述したロータリーノブアッシー４０の防音部４２Ｃが、節度機構５６に対して径方向外側に配置されている。そして、ロータリーノブアッシー４０が回転操作されるときには、節度部５７Ａが、節度山４４Ｅを乗り越えることで、操作者に節度感（クリック感）が付与される構成になっている。また、上述のように、ロータリーノブアッシー４０には、２０箇所の節度山４４Ｅが形成されている。このため、本実施の形態では、節度部５７Ａが１つの節度山４４Ｅを乗り越えたときには、ロータリーノブアッシー４０が、１８度回転される設定になっている。すなわち、本実施の形態では、ロータリーノブアッシー４０の回転ピッチが１８度に設定されている。
【００４０】
ホルダ５２の説明に戻って、図３〜図５に示されるように、収容部５２Ｂの第２方向他方側の端部には、支持柱５２Ｅが形成されている。支持柱５２Ｅは、略矩形筒状に形成されて、収容部５２Ｂから上方側へ突出されている。また、ホルダ５２の下端部には、後述する検出機構９０のプレート９２を配置するための切欠部５２Ｆが形成されており、切欠部５２Ｆは、下側へ開放された凹状に形成されている。
【００４１】
＜スライダ５４について＞
スライダ５４は、下側へ開放された略有底筒状に形成されて、ホルダ５２の収容部５２Ｂの上側に配置されている。スライダ５４の下端部には、第１方向一方側及び他方側の部分において、第２方向に並ぶ一対のガイド部５４Ａがそれぞれ形成されている。一対のガイド部５４Ａは、上下方向を板厚方向とした略矩形板状に形成されて、スライダ５４から第１方向一方側及び他方側へそれぞれ突出されている。そして、一対のガイド部５４Ａが、ホルダ５２に対して第２方向へスライド可能に、ホルダ５２の収容部５２Ｂ内に収容されている。また、ガイド部５４Ａの収容部５２Ｂへの収容状態では、ガイド部５４Ａの先端部が収容部５２Ｂの内周面に当接することで、ガイド部５４Ａ（すなわちスライダ５４）の第１方向への移動が制限されている。
【００４２】
スライダ５４の上壁には、中央部において、挿通孔５４Ｂが貫通形成されている。挿通孔５４Ｂは、平面視で第１方向を長手方向とする略トラック形状に形成されている。さらに、スライダ５４の第２方向一方側及び他方側の部分には、一対のガイド凹部５４Ｃ，５４Ｄが形成されている。一方のガイド凹部５４Ｃは、第２方向一方側へ開放された凹状に形成されており、他方のガイド凹部５４Ｄは、第２方向他方側へ開放された凹状に形成されている。そして、一方のガイド凹部５４Ｃ内にホルダ５２の支持柱５２Ｄが、第２方向に相対移動可能に挿入され、他方のガイド凹部５４Ｄ内にホルダ５２の支持柱５２Ｅが、第２方向に相対移動可能に挿入されている。これにより、スライダ５４が第２方向へスライド可能にホルダ５２によって保持されており、スライダ５４が第２方向へのスライドを、ガイド凹部５４Ｃ，５４Ｄによってガイドする構成になっている。
【００４３】
さらに、スライダ５４の上端部には、後述するノブベース６８をガイドするための一対のガイドレール５４Ｅが一体に形成されている。このガイドレール５４Ｅは、スライダ５４から第１方向一方側及び他方側へ突出されると共に、第１方向から見て、上方側へ開放された略Ｕ字形状に形成されている。すなわち、ガイドレール５４Ｅの幅方向中央部には、上側へ開放されたガイド溝５４Ｆが形成されており、ガイド溝５４Ｆが、平面視で、第１基準線Ｌ１に沿って延在されている。
【００４４】
（スライド操作機構６０について）
スライド操作機構６０は、操作者によってスライド操作される「第１部材」としてのスライドノブ８０と、スライドノブ８０の操作時に、後述する検出機構９０のプレート９２をスライドノブ８０と一体に移動させるための移動機構６１と、を含んで構成されている。また、移動機構６１は、シャフト６２と、ピン６４と、付勢バネ６６と、ノブベース６８と、を含んで構成されている。以下、先に移動機構６１の構成を説明し、次いで、スライドノブ８０の構成について説明する。
【００４５】
＜シャフト６２について＞
シャフト６２は、上下方向を板厚方向とした板状のシャフトベース６２Ａを有しており、シャフトベース６２Ａは、平面視で略正八角形状に形成されている。シャフトベース６２Ａは、ホルダ５２の内部に収容されると共に、ホルダ５２の上壁の下側に隣接して配置されている。
【００４６】
シャフトベース６２Ａには、一対のストッパ片６２Ｂが一体に形成されている。ストッパ片６２Ｂは、シャフトベース６２Ａの中央部に対して、第２方向一方側及び他方側にそれぞれ配置されており、シャフトベース６２Ａから上側へ突出されている。また、ストッパ片６２Ｂは、第２方向を板厚方向とする略Ｔ字形板状に形成されている。具体的には、ストッパ片６２Ｂは、シャフトベース６２Ａから上側へ延出された基部６２Ｂ１と、基部６２Ｂ１の上端部から第１方向一方側及び他方側へ延出されたストッパ部６２Ｂ２と、を含んで構成されている。そして、一対のストッパ部６２Ｂ２が、ホルダ５２の収容部５２Ｂの上側に配置されて、シャフト６２がホルダ５２に組付けられている。これにより、ストッパ部６２Ｂ２とシャフトベース６２Ａとの間に、ホルダ５２の収容部５２Ｂが配置されて、シャフト６２のホルダ５２に対する上下移動が制限されている。
【００４７】
なお、シャフト６２をホルダ５２へ組付けるときには、一対のストッパ部６２Ｂ２における第２方向一方側のストッパ部６２Ｂ２をホルダ５２の第１スリット孔５２Ｃ１内に下側から挿入し、第２方向他方側のストッパ部６２Ｂ２を第２スリット孔５２Ｃ２内に下側から挿入する。次いで、シャフト６２を第２方向一方側へホルダ５２に対してスライドさせる。これにより、ストッパ部６２Ｂ２が収容部５２Ｂの上側に配置されて、シャフト６２がホルダ５２に組付けられている。なお、シャフト６２のホルダ５２への組付状態では、ストッパ片６２Ｂの基部６２Ｂ１がホルダ５２の挿通孔５２Ｃの内周面から離間されて、シャフト６２の第１方向及び第２方向への移動が許容される構成になっている。
【００４８】
また、シャフト６２は、上下方向を軸方向とした略矩形筒状のシャフト本体６２Ｃを有している。シャフト本体６２Ｃは、シャフトベース６２Ａの中央部から上側且つ下側へ突出されると共に、軸線ＡＬと同軸上に配置されている。また、シャフト本体６２Ｃの上部は、ホルダ５２の挿通孔５２Ｃ及びスライダ５４の挿通孔５４Ｂ内を挿通しており、シャフト本体６２Ｃの上端部が、スライダ５４に対して上側へ突出されている。
【００４９】
そして、シャフト本体６２Ｃの下部を、操作軸６２Ｄとしており、操作軸６２Ｄの中央部には、ピン収容部６２Ｅが形成されている。ピン収容部６２Ｅは、断面円形状を成す下側へ開放された凹状に形成されている。また、ピン収容部６２Ｅは、ピン収容部６２Ｅの下部を構成する第１ピン収容部６２Ｅ１と、ピン収容部６２Ｅの上部を構成する第２ピン収容部６２Ｅ２と、を有しており、第２ピン収容部６２Ｅ２の径寸法が、第１ピン収容部６２Ｅ１の径寸法よりも小さく設定されている。すなわち、ピン収容部６２Ｅの内周面には、上下方向中間部において、段差部が形成されている。一方、シャフト本体６２Ｃの上部における中央部には、断面円形状の固定凹部６２Ｆが形成されており、固定凹部６２Ｆは上側へ開放されている。
【００５０】
＜ピン６４について＞
ピン６４は、上下方向を軸方向としたシャフト状に形成されており、ピン６４の直径寸法が、第２ピン収容部６２Ｅ２の内径寸法よりも僅かに小さく設定されている。そして、ピン６４が、シャフト６２のピン収容部６２Ｅ内に相対移動可能に収容されている。具体的には、ピン６４の上端側の部分が、第２ピン収容部６２Ｅ２内に収容されている。
【００５１】
ピン６４の下端側の部分には、径方向外側へ張り出された鍔部６４Ａが一体に形成されている。鍔部６４Ａは、ピン６４の軸方向から見て、円形状に形成されており、鍔部６４Ａの直径寸法が、第１ピン収容部６２Ｅ１の内径寸法よりも僅かに小さく設定されている。そして、鍔部６４Ａが、第１ピン収容部６２Ｅ１の下端部内に配置されている（図３及び図４参照）。また、ピン収容部６２Ｅ内への収容状態では、ピン６４の下端部が、操作軸６２Ｄに対して下側へ突出されて、リッド２０の支持凹部２２Ａによって支持されている。さらに、ピン６４の下端部は、支持凹部２２Ａに対応する略半球状に形成されている。
【００５２】
＜付勢バネ６６について＞
付勢バネ６６は、圧縮コイルスプリングとして構成されている。そして、付勢バネ６６が、ピン６４の鍔部６４Ａよりも上側の部分に装着されて、ピン６４と共にピン収容部６２Ｅ内に収容されている。具体的には、付勢バネ６６の上端部が、ピン収容部６２Ｅの段差部に係止されて、付勢バネ６６の下端部が、ピン６４の鍔部６４Ａに係止されている。さらに、付勢バネ６６のピン収容部６２Ｅ内への収容状態では、付勢バネ６６が圧縮変形している。このため、ピン６４が、付勢バネ６６の付勢力によって、下側へ付勢されて、ピン６４の下端部が、支持凹部２２Ａに圧接されている。
【００５３】
＜ノブベース６８について＞
ノブベース６８は、全体として上側へ開放された略有底円筒状に形成されている。ノブベース６８は、操作装置１０の軸線ＡＬと同軸上に配置されると共に、シャフト本体６２Ｃの上側に隣接して配置されている。ノブベース６８の底壁部における中央部には、固定孔６８Ａが貫通形成されている。そして、固定孔６８Ａ内にネジＳＣ２が挿入されて、ネジＳＣ２がシャフト６２の固定凹部６２Ｆに螺合されることで、ノブベース６８がシャフト６２に固定されている。これにより、移動機構６１の全体が、一体移動可能に構成されている。
【００５４】
また、ノブベース６８の底壁には、下側へ突出されたガイド片６８Ｂ（図４参照）が一体に形成されている。このガイド片６８Ｂは、第２方向を板厚方向とした板状に形成されると共に、平面視で第１基準線Ｌ１に沿って延在している。そして、ガイド片６８Ｂが、前述したスライダ５４のガイド溝５４Ｆ内に、第１方向にスライド可能に挿入されている。これにより、ノブベース６８（移動機構６１）が、スライダ５４のガイド溝５４Ｆによってガイドされながら、スライダ５４に対して第１方向へ移動する構成になっている。一方、ノブベース６８（移動機構６１）が、第２方向へ移動するときには、ノブベース６８のガイド片６８Ｂがスライダ５４のガイド溝５４Ｆに係合して、ノブベース６８（移動機構６１）が、スライダ５４と共に、ホルダ５２に対して第２方向へ移動する構成になっている。
【００５５】
また、ノブベース６８の外周縁部には、４箇所のガイドレール６８Ｃが一体に形成されている。ガイドレール６８Ｃは、ノブベース６８の底壁部から上側へ突出された柱状に形成されると共に、ノブベース６８の周方向に９０度毎に離間して配置されている。具体的には、平面視で、２箇所のガイドレール６８Ｃが、第１基準線Ｌ１に沿って並んで配置されており、他の２箇所のガイドレール６８Ｃが、第２基準線Ｌ２に沿って並んで配置されている。また、ガイドレール６８Ｃは、平面視で、ノブベース６８の径方向外側へ開放された略Ｕ字形状に形成されている。これにより、ガイドレール６８Ｃの幅方向中央部には、ノブベース６８の径方向外側へ開放され且つ上下方向に延在されたガイド溝６８Ｄが形成されている。なお、ガイド溝６８Ｄの下端部は、ノブベース６８の底壁によって閉塞されている。
【００５６】
さらに、ノブベース６８の外周縁部には、３箇所の係合片６８Ｅが一体に形成されており、係合片６８Ｅは、ノブベース６８の底壁部から上側へ突出されると共に、ノブベース６８の周方向に１２０度毎に離間して配置されている。この係合片６８Ｅは、ノブベース６８の径方向を板厚方向とした略矩形板状に形成されると共に、平面視でノブベース６８の周方向に沿って湾曲されている。また、係合片６８Ｅの幅方向中央には、係合孔６８Ｅ１が貫通形成されている。
【００５７】
さらに、ノブベース６８の上側には、基板７０が、配置されている。この基板７０は、板厚方向を上下方向とした略円板状に形成されて、ノブベース６８に固定されている。基板３０の上面には、中央部において、スイッチ７２が設けられており、スイッチ７２はプッシュスイッチとして構成されている。また、基板７０は、接続部材７４（フレキシブルケーブル）によって基板３０に接続されており、スイッチ７２が制御部３６と電気的に接続されている。
【００５８】
（スライドノブ８０について）
スライドノブ８０は、上下方向を板厚方向とした略円盤状に形成されて、ノブベース６８及びロータリーノブアッシー４０の上側において軸線ＡＬと同軸上に配置されている。具体的には、スライドノブ８０は、下側へ開放された略有底円筒状に形成されており、スライドノブ８０の外径が、ロータリーノブアッシー４０の外径よりも小さく設定されている。これにより、スライドノブ８０の開口端部が、ロータリーノブアッシー４０の軟質本体部４２Ａの上側に配置されている。
【００５９】
スライドノブ８０の下面には、ノブベース６８のガイドレール６８Ｃに対応した４箇所のガイド部８０Ａ（図３及び図４参照）が一体に形成されており、ガイド部８０Ａは、スライドノブ８０の下側へ突出されると共に、ガイドレール６８Ｃ内に上下方向に相対移動可能に挿入されている。これにより、スライドノブ８０が、ノブベース６８に対して上下方向に相対移動可能に連結されている。
【００６０】
そして、スライドノブ８０のノブベース６８への連結状態では、ノブベース６８が、スライドノブ８０と共に、第１方向及び第２方向へ一体的に移動するように構成されている。すなわち、スライドノブ８０が第１方向及び第２方向へ操作されたときには、スライドノブ８０のガイド部８０Ａがノブベース６８のガイドレール６８Ｃに係合して、ノブベース６８（移動機構６１）がスライドノブ８０と一体に第１方向及び第２方向へ移動する構成になっている。よって、スライド操作機構６０の全体が第１方向及び第２方向へスライド可能に構成されている。なお、スライドノブ８０のノブベース６８への連結状態では、ガイド部８０Ａが、ノブベース６８の底壁に当接することで、スライドノブ８０の下側への移動が制限される構成になっている。
【００６１】
また、スライドノブ８０の中央部には、スイッチ７２と上下方向に対向するボス８０Ｂ（図３及び図４参照）が形成されている。これにより、スライドノブ８０が下方側へプッシュ操作されたときには、ボス８０Ｂがスイッチ７２を押圧して、スライドノブ８０のプッシュ操作がスイッチ７２によって検出される構成になっている。
【００６２】
なお、スライドノブ８０には、ノブベース６８の係合片６８Ｅに対応する３箇所の係合爪（図示省略）が設けられており、係合爪は、係合片６８Ｅの係合孔６８Ｅ１内に上下方向に相対移動可能に挿入されている。これにより、係合爪が、係合孔６８Ｅ１の上側の縁部に係合することで、スライドノブ８０の上方側への移動が制限されている。
【００６３】
また、スライドノブ８０の上側には、上下方向を厚み方向とし、且つ略円板状に形成されたタッチパッド８２が載置されている。タッチパッド８２は、両面テープなどの接着部材によって、スライドノブ８０に固定されている。
【００６４】
また、スライドノブ８０の外周部には、略リング状のノブリング８４が固定されており、ノブリング８４とスライドノブ８０によってタッチパッド８２が上下方向に挟持されている。このノブリング８４は、複数（本実施の形態では、３箇所）の固定片８４Ａを有しており、固定片８４Ａは、ノブリング８４の周方向に１２０度毎に離間して配置されている。そして、固定片８４Ａが、スライドノブ８０の、図示しない固定爪に係合して、ノブリング８４がスライドノブ８０に固定されている。
【００６５】
さらに、スライドノブ８０の開口端部には、下側へ開放された凹部８０Ｃ（図１、図３、及び図４参照）が形成されており、凹部８０Ｃはスライドノブ８０の周方向全周に亘って形成されている。これにより、スライドノブ８０の開口端部には、凹部８０Ｃの径方向外側において、鍔部８０Ｄが形成されている。そして、前述したロータリーノブアッシー４０の内筒４２Ｄの先端部（上端部）が凹部８０Ｃ内に配置されている。すなわち、内筒４２Ｄの先端部（上端部）が、凹部８０Ｃの内部空間を、スライドノブ８０の径方向に区画するように配置されている。そして、スライドノブ８０がスライド操作されたときには、内筒４２Ｄが凹部８０Ｃに当接する構成になっている。また、スライド操作機構６０の中立位置では、内筒４２Ｄが、凹部８０Ｃの径方向中央部よりも径方向外側（鍔部８０Ｄ側）に寄って配置されている。
【００６６】
（検出機構９０について）
図３〜図５、及び図７に示されるように、検出機構９０は、プレート９２と、リフレクタリング１００と、を含んで構成されている。
【００６７】
＜プレート９２について＞
プレート９２は、黒色の樹脂材で構成されると共に、平面視で、上下方向を板厚方向とした略逆Ｌ字形板状に形成されている。具体的には、プレート９２は、第１方向に延在された第１プレート部９２Ａと、第１プレート部９２Ａの基端部（第１方向一方側の端部）から第２方向他方側へ延出された第２プレート部９２Ｂと、を含んで構成されている。第１プレート部９２Ａの基端部には、略矩形状を成す嵌合孔９２Ｃが貫通形成されている。そして、前述したシャフト６２の操作軸６２Ｄが嵌合孔９２Ｃ内に嵌入されている。これにより、プレート９２が、基板３０の上側において、スライド操作機構６０と一体に第１方向及び第２方向にスライド可能に構成されている。なお、ロータリーノブアッシー４０は、スライド操作機構６０のホルダ５２に相対移動可能に支持されているため、ロータリーノブアッシー４０が、プレート９２に対して相対移動可能に構成されている。すなわち、ロータリーノブアッシー４０の回転時には、プレート９２に回転力が付与されず、プレート９２の位置が維持される構成になっている。
【００６８】
また、第１プレート部９２Ａ及び第２プレート部９２Ｂの長手方向中間部には、下側へ略クランク状に屈曲された段差部がそれぞれ形成されており、第１プレート部９２Ａ及び第２プレート部９２Ｂの各々の先端部が、第１プレート部９２Ａ及び第２プレート部９２Ｂの各々の基端部に対して下側に配置されている。具体的には、第１プレート部９２Ａの先端部が、一方の第１検出部３２Ａの上側に近接して配置されており、第２プレート部９２Ｂの先端部が、他方の第１検出部３２Ｂの上側に近接して配置されている。
【００６９】
図６にも示されるように、第１プレート部９２Ａ及び第２プレート部９２Ｂのそれぞれの先端部における下面には、第１反射板９４Ａ，９４Ｂが設けられている。第１反射板９４Ａ，９４Ｂは、平面視で、上下方向を板厚方向とした略Ｌ字形板状に形成されており、第１反射板９４Ａの上面が第１プレート部９２Ａの下面に固定され、第１反射板９４Ｂの上面が第２プレート部９２Ｂの下面に固定されている。
【００７０】
そして、スライド操作機構６０の非作動状態（図３（Ａ）及び図４（Ａ）に示される状態であり、以下、スライド操作機構６０における、この位置を「中立位置」と称し、プレート９２における、この位置を「初期位置」と称する）では、平面視で第１反射板９４Ａが、一方の第１検出部３２Ａの第１方向他方側及び第２方向一方側に隣接して配置されている。すなわち、スライド操作機構６０の中立位置では、上下方向において、第１反射板９４Ａと第１検出部３２Ａとが対向配置しないように、第１反射板９４Ａが第１検出部３２Ａに対してずれて配置されている（図７参照）。そして、スライド操作機構６０が第１方向一方側又は第２方向他方側へスライド操作されたときには、上下方向において、第１反射板９４Ａと第１検出部３２Ａとが対向配置する設定になっている。これにより、第１検出部３２Ａによって上側へ照射された光が、第１反射板９４Ａによって下側に反射して、第１検出部３２Ａが、反射光を受光して、制御部３６にオン信号を出力する構成になっている。
【００７１】
また、スライド操作機構６０の中立位置では、平面視で第１反射板９４Ｂが、他方の第１検出部３２Ｂの第１方向他方側及び第２方向他方側に隣接して配置されている。すなわち、スライド操作機構６０の中立位置では、上下方向において、第１反射板９４Ｂと第１検出部３２Ｂとが対向配置しないように、第１反射板９４Ｂが第１検出部３２Ｂに対してずれて配置されている（図７参照）。そして、スライド操作機構６０が第１方向一方側又は第２方向一方側へスライド操作されたときには、上下方向において、第１反射板９４Ｂと第１検出部３２Ｂとが対向配置する設定になっている。これにより、第１検出部３２Ｂによって上側へ照射された光が、第１反射板９４Ｂによって下側に反射して、第１検出部３２Ｂが、反射光を受光して、制御部３６にオン信号を出力する構成になっている。
【００７２】
さらに、第１プレート部９２Ａの先端部における下面には、第１反射板９４Ａに対して第１方向一方側の位置において、第２反射板９６が設けられている。第２反射板９６は、平面視で、上下方向を板厚方向とした略矩形板状に形成されており、第２反射板９６の上面が第１プレート部９２Ａの下面に固定されている。
【００７３】
そして、スライド操作機構６０の中立位置では、平面視で、第２反射板９６が第２検出部３４と重なって配置されている。すなわち、スライド操作機構６０の中立位置では、上下方向において、第２反射板９６と第２検出部３４とが対向配置されている（図６及び図７参照）。これにより、スライド操作機構６０の中立位置において、第２検出部３４によって上側へ照射された光が、第２反射板９６によって下側に反射して、第２検出部３４が、反射光を受光して、制御部３６にオン信号を出力する構成になっている。そして、スライド操作機構６０が第１方向又は第２方向へスライド操作されたときには、上下方向において、第２反射板９６と第２検出部３４との対向配置状態が解除されて、第２検出部３４が第１プレート部９２Ａと対向配置される設定になっている。よって、この場合には、第２検出部３４によって上側へ照射された光が、第１プレート部９２Ａによって反射されず、第２検出部３４が、制御部３６にオフ信号を出力する構成になっている。
【００７４】
また、第１プレート部９２Ａ及び第２プレート部９２Ｂのそれぞれの先端部には、レンズ９８Ａ，９８Ｂが設けられている。このレンズ９８Ａ，９８Ｂは、透光性を有する透明の樹脂材等によって構成されて、プレート９２と一体に形成されている。そして、スライド操作機構６０の中立位置において、平面視で、第１プレート部９２Ａのレンズ９８Ａが第１検出部３２Ａと重なって配置され、第２プレート部９２Ｂのレンズ９８Ｂが第１検出部３２Ｂと重なって配置されている。これにより、スライド操作機構６０の中立位置において、第１検出部３２Ａ（３２Ｂ）によって上側へ照射された光が、レンズ９８Ａ（９８Ｂ）を通過してプレート９２の上側を照射するようになっている（図６にて、第１検出部３２Ａから上側へ向かう矢印参照）。
【００７５】
＜リフレクタリング１００について＞
リフレクタリング１００は、上下方向を軸方向とした略円筒状に形成されて、軸線ＡＬと同軸上に配置されている。リフレクタリング１００の上端部には、複数（本実施の形態では４箇所）嵌合片１００Ａが一体に形成されている。嵌合片１００Ａは、リフレクタリング１００の径方向を板厚方向とした略矩形板状に形成されて、リフレクタリング１００から上側へ突出されている。また、嵌合片１００Ａは、リフレクタリング１００の周方向に沿って湾曲しており、リフレクタリング１００の周方向に９０度毎に配置されている。そして、前述したロータリーノブアッシー４０の下端部が嵌合片１００Ａの内側に嵌入されて、リフレクタリング１００がロータリーノブアッシー４０に一体回転可能に連結されている。また、リフレクタリング１００がロータリーノブアッシー４０に連結された状態では、リフレクタリング１００が、プレート９２（第１プレート部９２Ａ及び第２プレート部９２Ｂの先端部）の上側に配置されている。
【００７６】
また、リフレクタリング１００の下端部（軸方向一方側の端部）には、凹凸部１０２が形成されている。この凹凸部１０２は、下側へ開放された５箇所の凹部１０２Ａと、凹部１０２Ａに対して下側へ突出した５箇所の凸部１０２Ｂと、を含んで構成されており、凹部１０２Ａと凸部１０２Ｂとが、リフレクタリング１００の周方向において交互に等間隔に配置されている。具体的には、凹部１０２Ａと凸部１０２Ｂとが、リフレクタリング１００の周方向において、３６度毎に配置されている。また、凹凸部１０２は、プレート９２のレンズ９８Ａ，９８Ｂの真上に配置されている。すなわち、スライド操作機構６０の中立位置では、平面視で、凹凸部１０２が、レンズ９８Ａ，９８Ｂ及び第１検出部３２Ａ，３２Ｂと重なって配置されている（図６（Ａ）及び（Ｂ）参照）。
【００７７】
また、リフレクタリング１００は、白色の樹脂材によって構成されている。さらに、上述のように、凹凸部１０２は、凹部１０２Ａと凸部１０２Ｂとによって構成されている。これにより、リフレクタリング１００が回転することで、凹凸部１０２と第１検出部３２Ａ，３２Ｂとの間の上下距離が変化する。そして、第１検出部３２Ａ，３２Ｂによって照射され且つレンズ９８Ａ，９８Ｂを透過した光は、凸部１０２Ｂによって下側へ反射して、第１検出部３２Ａ，３２Ｂに再度到達するようになっている（図６（Ａ）にて、凸部１０２Ｂから下側へ向かう矢印参照）。このため、第１検出部３２Ａ，３２Ｂが凸部１０２Ｂによって反射した光を受光して、第１検出部３２Ａ，３２Ｂがオン信号を出力する構成になっている。一方、レンズ９８Ａ，９８Ｂを透過し且つ凹部１０２Ａに到達した光は、光量が減少しているため、凹部１０２Ａによって反射された光の光量も減少する。このため、第１検出部３２Ａ，３２Ｂと凹部１０２Ａとが上下方向に対向配置されたときには、第１検出部３２Ａ，３２Ｂがオフ信号を出力する構成になっている。なお、凸部１０２Ｂにおける反射率を高くするために、リフレクタリング１００の凸部１０２Ｂに、メッキ等の表面処理を施してもよい。
【００７８】
（作用効果）
次に、スライドノブ８０がスライド操作された時のスライドノブ８０の操作検出と、ロータリーノブアッシー４０が回転操作されたときのロータリーノブアッシー４０の操作検出と、を説明しつつ、本実施の形態の作用及び効果を説明する。
【００７９】
（操作装置１０の非作動状態について）
操作装置１０の非作動状態では、スライド操作機構６０が中立位置に配置されており（図３（Ａ）及び図４（Ａ）参照）、検出機構９０のプレート９２が初期位置に配置されている。このため、図７に示されるように、上下方向において、第１反射板９４Ａと第１検出部３２Ａとが対向配置しておらず、第１反射板９４Ｂと第１検出部３２Ｂとが対向配置していない。また、この状態では、上下方向において、プレート９２のレンズ９８Ａと第１検出部３２Ａとが対向配置し、レンズ９８Ｂと第１検出部３２Ｂとが対向配置している。このため、第１検出部３２Ａ，３２Ｂから上側へ照射した光は、レンズ９８Ａ，９８Ｂを透過し、リフレクタリング１００の凹凸部１０２によって反射する。そして、第１検出部３２Ａ，３２Ｂは、凹凸部１０２によって反射した光を受光する。このため、第１検出部３２Ａ，３２Ｂは、リフレクタリング１００の凹凸部１０２との上下距離に応じた出力信号を制御部３６へ出力する。
一方、プレート９２の初期位置では、上下方向において、第２反射板９６と第２検出部３４とが対向配置している。このため、第２検出部３４が制御部３６にオン信号を出力する。
【００８０】
（スライドノブ８０の第１方向への操作について）
操作装置１０の非作動状態から、操作者によって、スライドノブ８０を第１方向一方側（図４（Ａ）の矢印Ｃ方向）へ操作すると、ノブベース６８（移動機構６１）がスライドノブ８０と共に第１方向一方側へ移動する。具体的には、ノブベース６８のガイド片６８Ｂが、スライダ５４のガイド溝５４Ｆによってガイドされながら、ガイド溝５４Ｆ内を第１方向一方側へ移動する。これにより、ノブベース６８（移動機構６１）がスライダ５４に対して第１方向一方側へ相対移動する（図４（Ｂ）参照）。
【００８１】
ノブベース６８（移動機構６１）が、第１方向一方側へ移動すると、移動機構６１のピン６４の下端部が、リッド２０の支持凹部２２Ａ上を第１方向一方側へ摺動する。これにより、ピン６４が、付勢バネ６６の付勢力に抗して、操作軸６２Ｄの軸方向上側へ変位しながら、支持凹部２２Ａから第１方向一方側へ抜け出て、傾斜凹部２２Ｂ上を第１方向一方側へ摺動する。よって、操作軸６２Ｄが、軸線ＡＬに対して第１方向一方側へ変位する（図４（Ｂ）参照）。
【００８２】
操作軸６２Ｄが、第１方向一方側へ変位すると、検出機構９０のプレート９２が操作軸６２Ｄと共に第１方向一方側へ変位する。このため、図８（Ａ）及び図９（Ａ）に示されるように、第２反射板９６が第２検出部３４に対して第１方向一方側へ相対変位する。これにより、上下方向における第２反射板９６と第２検出部３４との対向配置状態が解除される。その結果、第２検出部３４から上側へ照射された光が、プレート９２によって反射しなくなる。したがって、第２検出部３４からの出力信号がオン信号からオフ信号へ切替る。なお、図８では、便宜上、オン信号を出力する第１検出部３２Ａ，３２Ｂ、第２検出部３４を、塗り潰して図示している。
【００８３】
また、プレート９２が第１方向一方側へ変位すると、プレート９２のレンズ９８Ａ，９８Ｂが第１検出部３２Ａ，３２Ｂに対して第１方向一方側へ相対変位する。これにより、上下方向における、レンズ９８Ａ（９８Ｂ）と第１検出部３２Ａ（３２Ｂ）との対向配置状態が解除される。また、このときには、平面視で、第１反射板９４Ａが第１検出部３２Ａと重なり、第１反射板９４Ｂが第１検出部３２Ｂと重なる。このため、第１検出部３２Ａから照射された光が第１反射板９４Ａによって反射して、第１検出部３２Ａが反射光を受光する。また、第１検出部３２Ｂから照射された光が第１反射板９４Ｂによって反射して、第１検出部３２Ｂが反射光を受光する。これにより、第１検出部３２Ａ及び第１検出部３２Ｂからの出力信号が、いずれもオン信号になる。
【００８４】
次に、操作者によって、スライドノブ８０を中立位置から第１方向他方側へ操作すると、移動機構６１の操作軸６２Ｄが軸線ＡＬに対して、第１方向他方側へ変位する。なお、移動機構６１は、上述と同様に作動するため、移動機構６１の動作の説明は、割愛する。
【００８５】
操作軸６２Ｄが、軸線ＡＬに対して第１方向他方側へ変位すると、検出機構９０のプレート９２が操作軸６２Ｄと共に第１方向他方側へ変位する。このため、図８（Ｂ）及び図９（Ｂ）に示されるように、第２反射板９６が第２検出部３４に対して第１方向他方側へ相対変位する。これにより、上述と同様に、上下方向における第２反射板９６と第２検出部３４との対向配置状態が解除される。その結果、第２検出部３４からの出力信号がオン信号からオフ信号へ切替る。
【００８６】
また、プレート９２が第１方向他方側へ変位すると、プレート９２のレンズ９８Ａ，９８Ｂが第１検出部３２Ａ，３２Ｂに対して第１方向他方側へ相対変位する。これにより、上述と同様に、上下方向における、レンズ９８Ａ（９８Ｂ）と第１検出部３２Ａ（３２Ｂ）との対向配置状態が解除される。また、このときには、平面視で、第１反射板９４Ａが第１検出部３２Ａと重ならず、第１反射板９４Ｂが第１検出部３２Ｂと重ならない。このため、第１検出部３２Ａ及び第１検出部３２Ｂからの出力信号が、いずれもオフ信号になる。
【００８７】
（スライドノブ８０の第２方向への操作について）
スライドノブ８０の中立位置から、操作者によって、スライドノブ８０を第２方向一方側（図３（Ａ）の矢印Ｅ方向）へ操作すると、ノブベース６８（移動機構６１）が、スライドノブ８０と共にホルダ５２に対して第２方向一方側へ移動する。具体的には、ノブベース６８のガイド片６８Ｂが、スライダ５４のガイドレール５４Ｅにおけるガイド溝５４Ｆに係合して、スライダ５４が第２方向一方側へ押圧される。このため、スライダ５４のガイド凹部５４Ｃ，５４Ｄがホルダ５２の支持柱５２Ｄ及び支持柱５２Ｅに対して第２方向一方側へ相対移動する。これにより、ノブベース６８（移動機構６１）が、スライダ５４と共にホルダ５２に対して第２方向一方側へ移動する（図３（Ｂ）参照）。
【００８８】
ノブベース６８（移動機構６１）が、第２方向一方側へ移動すると、移動機構６１のピン６４の下端部が、リッド２０の支持凹部２２Ａ上を第２方向一方側へ摺動する。これにより、ピン６４が、付勢バネ６６の付勢力に抗して、操作軸６２Ｄの軸方向上側へ変位しながら、支持凹部２２Ａから第２方向一方側へ抜け出て、傾斜凹部２２Ｂ上を第２方向一方側へ摺動する。よって、操作軸６２Ｄが、軸線ＡＬに対して第２方向一方側へ変位する（図３（Ｂ）参照）。
【００８９】
操作軸６２Ｄが、第２方向一方側へ変位すると、検出機構９０のプレート９２が操作軸６２Ｄと共に第２方向一方側へ変位する。このため、図８（Ｃ）に示されるように、第２反射板９６が第２検出部３４に対して第２方向一方側へ相対変位する。これにより、上下方向における第２反射板９６と第２検出部３４との対向配置状態が解除される。その結果、上述と同様に、第２検出部３４からの出力信号がオン信号からオフ信号へ切替る。
【００９０】
また、プレート９２が第２方向一方側へ変位すると、プレート９２のレンズ９８Ａ，９８Ｂが第１検出部３２Ａ，３２Ｂに対して第２方向一方側へ相対変位する。これにより、上下方向における、レンズ９８Ａ（９８Ｂ）と第１検出部３２Ａ（３２Ｂ）との対向配置状態が解除される。また、このときには、平面視で、第１反射板９４Ａが第１検出部３２Ａと重ならず、第１反射板９４Ｂが第１検出部３２Ｂと重なる。このため、第１検出部３２Ａの出力信号が、オフ信号になり、第１検出部３２Ｂからの出力信号が、オン信号になる。
【００９１】
次に、操作者によって、スライドノブ８０を第２方向他方側へ操作すると、移動機構６１の操作軸６２Ｄが軸線ＡＬに対して、第２方向他方側へ変位する。なお、移動機構６１は、上述と同様に作動するため、移動機構６１の動作の説明は、割愛する。
【００９２】
操作軸６２Ｄが、第２方向他方側へ変位すると、検出機構９０のプレート９２が操作軸６２Ｄと共に第２方向他方側へ変位する。このため、図８（Ｄ）に示されるように、第２反射板９６が第２検出部３４に対して第２方向他方側へ相対変位する。これにより、上述と同様に、上下方向における第２反射板９６と第２検出部３４との対向配置状態が解除される。その結果、上述と同様に、第２検出部３４からの出力信号がオン信号からオフ信号へ切替る。
【００９３】
また、プレート９２が第２方向他方側へ変位すると、プレート９２のレンズ９８Ａ，９８Ｂが第１検出部３２Ａ，３２Ｂに対して第２方向他方側へ相対変位する。これにより、レンズ９８Ａ（９８Ｂ）と第１検出部３２Ａ（３２Ｂ）との対向配置状態が解除される。また、このときには、平面視で、第１反射板９４Ａが第１検出部３２Ａと重なり、第１反射板９４Ｂが第１検出部３２Ｂと重ならない。このため、第１検出部３２Ａの出力信号が、オン信号になり、第１検出部３２Ｂからの出力信号が、オフ信号になる。
【００９４】
なお、スライドノブ８０の第１方向（第２方向）への操作完了後は、移動機構６１の付勢バネ６６の付勢力によって、移動機構６１のピン６４が、リッド２０の傾斜凹部２２Ｂ上を初期位置側へ摺動して、支持凹部２２Ａ内に収容される。このため、スライドノブ８０（スライド操作機構６０）が中立位置に復帰する。
【００９５】
（ロータリーノブアッシー４０の回転操作について）
ロータリーノブアッシー４０の回転操作時では、スライドノブ８０（すなわち、スライド操作機構６０）が中立位置に維持されている。このため、検出機構９０のプレート９２が初期位置に維持される。
よって、上述のように、上下方向において、プレート９２のレンズ９８Ａ（９８Ｂ）と第１検出部３２Ａ（３２Ｂ）とが対向配置されている。このため、第１検出部３２Ａ（３２Ｂ）から照射された光がレンズ９８Ａ（９８Ｂ）を透過して、リフレクタリング１００の凹凸部１０２を照射している。また、上下方向において、第２反射板９６と第２検出部３４とが対向配置されている。このため、ロータリーノブアッシー４０の回転操作時では、第２検出部３４が制御部３６に常にオン信号を出力する。
【００９６】
そして、以下の説明では、図１０（Ａ）に示される状態１をロータリーノブアッシー４０の非作動状態（回転操作前の状態）とし、状態１からロータリーノブアッシー４０を回転方向一方側（図１０の矢印Ｇ方向側）へ１ピッチ（１８度）回転させた状態を状態２（図１０（Ｂ）参照）とし、状態２から１ピッチさらに回転させた状態を状態３（図１０（Ｃ）参照）とし、状態３から１ピッチさらに回転させた状態を状態４（図１０（Ｄ）参照）として説明する。なお、図１０では、便宜上、リフレクタリング１００の凸部１０２Ｂにハッチングを施して図示している。また、ロータリーノブアッシー４０の回転ピッチをドットにて図示している。
【００９７】
図１０（Ａ）に示されるように、状態１では、上下方向において、第１検出部３２Ａが、リフレクタリング１００の凸部１０２Ｂに対向配置され、第１検出部３２Ｂが、他の凸部１０２Ｂに対向配置されている。このため、第１検出部３２Ａ及び第１検出部３２Ｂの出力信号が、何れもオン信号となる。
【００９８】
ロータリーノブアッシー４０を状態１から状態２に回転させると、図１０（Ｂ）に示されるように、上下方向において第１検出部３２Ａと対向配置される凹凸部１０２が、凸部１０２Ｂから凹部１０２Ａへ切替る。一方、状態２では、第１検出部３２Ｂと対向配置される凹凸部１０２が、凸部１０２Ｂとして維持される。このため、第１検出部３２Ａの出力信号が、オン信号からオフ信号へ切替わり、第１検出部３２Ｂの出力信号は、切替わらず、オン信号のままとなる。
【００９９】
ロータリーノブアッシー４０を状態２から状態３へ回転させると、図１０（Ｃ）に示されるように、第１検出部３２Ａと対向配置される凹凸部１０２が、凹部１０２Ａとして維持される。一方、状態３では、上下方向において第１検出部３２Ｂと対向配置される凹凸部１０２が、凸部１０２Ｂから凹部１０２Ａへ切替る。このため、第１検出部３２Ａの出力信号が、切替わらず、オフ信号のままとなり、第１検出部３２Ｂの出力信号が、オン信号からオフ信号へ切替わる。
【０１００】
ロータリーノブアッシー４０を状態３から状態４へ回転させると、図１０（Ｄ）に示されるように、第１検出部３２Ａと対向配置される凹凸部１０２が、凹部１０２Ａから凸部１０２Ｂへ切替る。一方、状態４では、上下方向において第１検出部３２Ｂと対向配置される凹凸部１０２が、凹部１０２Ａとして維持される。このため、第１検出部３２Ａの出力信号が、オフ信号からオン信号へ切替り、第１検出部３２Ｂの出力信号は、切替わらず、オフ信号のままとなる。
【０１０１】
そして、状態４からロータリーノブアッシー４０を回転方向一方側へさらに１ピッチ回転させると、状態１に戻る。よって、以降、状態１から状態４の回転操作が繰り返される。
【０１０２】
一方、状態１からロータリーノブアッシー４０を回転方向他方側（図１０（Ａ）の矢印Ｈ方向側）へ１ピッチ毎に回転させると、ロータリーノブアッシー４０の状態が、状態１、状態４、状態３、状態２の順に切替わる。これにより、ロータリーノブアッシー４０を回転方向他方側への回転操作時においても、第１検出部３２Ａ及び第１検出部３２Ｂの出力信号が、上記の出力状態となる。
【０１０３】
図１１に示される表は、上記のスライドノブ８０に対するスライド操作時と、ロータリーノブアッシー４０に対する回転操作時における、第１検出部３２Ａ，３２Ｂ及び第２検出部３４の出力信号を示している。
図１１（Ａ）及び（Ｂ）に示されるように、スライドノブ８０に対するスライド操作時には、第２検出部３４における出力信号が、常にオフ信号になり、ロータリーノブアッシー４０に対する回転操作時には、第２検出部３４における出力信号が、常にオン信号になる。これにより、操作装置１０に対する操作が、スライド操作及び回転操作の何れの操作であるのかを、第２検出部３４によって検出することができる。
【０１０４】
また、図１１（Ａ）に示されるように、スライドノブ８０に対するスライド操作時には、第１検出部３２Ａ，３２Ｂの出力信号の組み合わせが、全て異なる組み合わせになる。このため、スライドノブ８０の第１方向又は第２方向の操作を第１検出部３２Ａ，３２Ｂによって検出することができる。
【０１０５】
さらに、図１１（Ｂ）に示されるように、ロータリーノブアッシー４０に対する回転操作時には、状態１〜状態４における第１検出部３２Ａ，３２Ｂの出力信号の組み合わせが、全て異なる組み合わせになる。このため、ロータリーノブアッシー４０の回転位置を第１検出部３２Ａ，３２Ｂによって検出することができる。また、ロータリーノブアッシー４０の回転方向一方側と他方側との回転では、ロータリーノブアッシー４０の状態変化の順番が異なる。このため、ロータリーノブアッシー４０の回転方向を第１検出部３２Ａ，３２Ｂによって検出することができる。
【０１０６】
また、本実施の形態の操作装置１０では、スライドノブ８０が、下側へ開放された有底円筒状に形成されており、スライドノブ８０の下側には、ロータリーノブアッシー４０が配置されている。また、ロータリーノブアッシー４０には、ロータリーノブアッシー４０から上側へ突出された内筒４２Ｄが一体に形成されており、スライド操作機構６０の中立位置では、ロータリーノブアッシーの内筒４２Ｄが、スライドノブ８０の凹部８０Ｃにおける径方向中間部に配置されている。すなわち、内筒４２Ｄが、スライドノブ８０の鍔部８０Ｄに対して径方向内側に配置されている。このため、液滴等がスライドノブ８０の開口端部（鍔部８０Ｄ）からスライドノブ８０の内部に浸入することを内筒４２Ｄによって抑制することができる。
【０１０７】
ここで、内筒４２Ｄが、弾性変形可能な軟質材料によって構成されている。このため、図３（Ｂ）及び図４（Ｂ）に示されるように、スライドノブ８０が、スライド操作され、第１方向（第２方向）一方側又は第１方向（第２方向）他方側へ移動したときに、内筒４２Ｄがスライドノブ８０の鍔部８０Ｄやスライドノブ８０内の部位に当たると、内筒４２Ｄがスライドノブ８０によって押圧されて弾性変形する。すなわち、スライドノブ８０の径方向における内筒４２Ｄと鍔部８０Ｄとの間の距離を、スライド操作時におけるスライドノブ８０のストロークよりも短くしても、スライドノブ８０の操作を許容することができる。これにより、スライドノブ８０がスライド操作されたときに、内筒４２Ｄと鍔部８０Ｄとが干渉しないように、内筒４２Ｄと鍔部８０Ｄとの間の距離をスライドノブ８０のストロークよりも長くした比較例と比べて、径方向においてスライドノブ８０を小型化することができると共に、ひいては操作装置１０を小型化することができる。したがって、操作装置１０の小型化に寄与することができる。
【０１０８】
また、スライドノブ８０が、スライド操作されたときに、スライドノブ８０が内筒４２Ｄに当たっても、内筒４２Ｄが軟質材料で構成されているため、スライドノブ８０と内筒４２Ｄとの衝突音を軽減することができる。
【０１０９】
また、上述のように、本実施の形態では、径方向における、スライドノブ８０の鍔部８０Ｄと、ロータリーノブアッシー４０の内筒４２Ｄと、の間の距離を短く設定することができる。換言すると、内筒４２Ｄを鍔部８０Ｄに近接して配置することができる。これにより、液滴等がスライドノブ８０の内側へ浸入することを、内筒４２Ｄによって効果的に抑制できる。
【０１１０】
また、内筒４２Ｄは、回転操作可能に構成されたロータリーノブアッシー４０に設けられている。このため、スライド操作及び回転操作可能に構成された複合型の操作装置１０において小型化に寄与することができる。
【０１１１】
また、ロータリーノブアッシー４０は把持部４２Ｂを有しており、把持部４２Ｂが内筒４２Ｄと同一材料（すなわち、軟質材料）によって構成されている。これにより、軟質材料を活用して、操作者に対して操作性を向上するための把持部４２Ｂと、スライドノブ８０内への液滴の浸入を抑制するための内筒４２Ｄと、をロータリーノブアッシー４０に設けることができる。
【０１１２】
また、ロータリーノブアッシー４０では、軟質部４２と硬質部４４とが一体に形成されている。これにより、軟質部４２と硬質部４４とを別体で構成して、両者を組付ける場合と比べて、組付性を向上することができる。
【０１１３】
また、ロータリーノブアッシー４０では、軟質部４２が防音部４２Ｃを有している。そして、防音部４２Ｃが、ノブ本体部４４Ａの外周部を被覆すると共に、節度機構５６に対してロータリーノブアッシー４０の径方向外側に配置されている。このため、節度機構５６の節度部材５７がロータリーノブアッシー４０の節度山４４Ｅを乗り越えた後の異音を、防音部４２Ｃによって吸収することができる。すなわち、防音部４２Ｃ（軟質部４２）を吸音材として機能させることができる。これにより、節度機構５６が作動するときの異音の発生を抑制することができる。したがって、操作装置１０における防音効果を高くすることができる。
【０１１４】
また、ロータリーノブアッシー４０の軟質部４２では、防音部４２Ｃがノブ本体部４４Ａの周方向全周に亘って形成されている。これにより、操作装置１０における防音効果を一層高くすることができる。
【０１１５】
また、ロータリーノブアッシー４０の軟質部４２では、内筒４２Ｄの肉厚が、軟質部４２における内筒４２Ｄ以外の部分の肉厚に比べて薄く設定されている。このため、スライドノブ８０のスライド操作時に、内筒４２Ｄを弾性変形させるための押圧荷重を比較的低くすることができる。これにより、スライド操作時における操作フィーリングへの影響を抑制しつつ、スライドノブ８０（すなわち）操作装置１０の小型化を図ることができる。
【０１１６】
なお、本実施の形態では、操作装置１０が、スライド操作可能に構成されたスライドノブ８０と、回転操作可能に構成されたロータリーノブアッシー４０と、を含んで構成されている。すなわち、操作装置１０が、２つの操作部材を有している。これに代えて、１つの操作部材を有する操作装置に、本発明の構造を適用してもよい。
例えば、本実施の形態の操作装置１０において、ロータリーノブアッシー４０を省略してもよい。この場合には、軟質材料によって構成された内筒４２Ｄをケース１２に形成してもよい。これにより、この場合には、ケース１２が本発明の「第２部材」に対応する。
また、例えば、図１２に示されるように、１つの操作部材（スライドノブ８０）を有し、且つ車両のパネルＰに組付けられる操作装置１１０に、本発明の構造を適用してもよい。この場合には、車両のパネルＰに内筒４２Ｄを設けると共に、当該内筒４２Ｄをスライドノブ８０の開口端部の径方向内側に配置する。これにより、この場合には、操作装置１１０が、パネルＰを含んで構成されており、パネルＰが本発明の「第２部材」に対応する。
【０１１７】
また、本実施の形態では、操作装置１０がスライド操作可能に構成されているが、傾倒操作（チルト操作）可能に構成された操作装置に、本発明の構造を適用してもよい。
例えば、操作装置１０において、スライドノブ８０の代わりに軸線ＡＬに対して傾倒可能な第１部材としての操作ノブを設け、操作ノブを傾倒可能に支持する傾倒機構をケース１２の内部に収容し、ロータリーノブアッシー４０に内筒４２Ｄを設けてもよい。これにより、傾倒可能に構成された操作装置における小型化に寄与することができる。
また、上述のように、１つの操作部材を有する操作装置においても、操作部材を傾倒操作（チルト操作）可能に構成して、当該操作装置に本発明の構造を適用してもよい。
【０１１８】
また、本実施の形態では、操作装置１０が、スライドノブ８０の下側にロータリーノブアッシー４０を配置した構成になっているが、スライドノブとロータリーノブアッシーとの上下位置を反転した操作装置に、本発明の構造を適用してもよい。この場合には、例えば、ロータリーノブアッシーを下側へ開放された有底円筒状に形成すると共に、筒状のスライドノブをロータリーノブアッシーの下側に配置する。そして、内筒４２Ｄをスライドノブから上側へ突出させて、ロータリーノブアッシーの径方向内側に配置する。これにより、スライドノブとロータリーノブアッシーとの上下位置を反転した操作装置においても、操作装置の小型化に寄与することができる。そして、この場合には、回転操作可能に構成されたロータリーノブアッシーが本発明の「第１部材」に対応して、スライド可能に構成されたスライドノブが本発明の「第２部材」に対応する。
さらに、この場合には、上述と同様に、スライドノブの代わりに、軸線ＡＬに対して傾倒可能な操作部材を、ロータリーノブアッシーの下側に配置してもよい。
【符号の説明】
【０１１９】
１０      操作装置
１２      ケース
２０      リッド（支持部材）
２０Ａ    リブ
２０Ｂ    固定ボス
２２      隆起部
２２Ａ    支持凹部
２２Ｂ    傾斜凹部
３０      基板
３０Ａ    孔部
３２Ａ    第１検出部
３２Ｂ    第１検出部
３４      第２検出部
３６      制御部
４０      ロータリーノブアッシー（第２部材）
４２      軟質部
４２Ａ    軟質本体部
４２Ｂ    把持部
４２Ｃ    防音部
４２Ｄ    内筒（内壁）
４４      硬質部
４４Ａ    ノブ本体部（本体部）
４４Ｂ    ベース部
４４Ｂ１  孔部
４４Ｃ    保持爪
４４Ｃ１  保持爪部
４４Ｄ    保持突起
４４Ｅ    節度山
５０      スライド機構
５２      ホルダ
５２Ａ    固定鍔
５２Ｂ    収容部
５２Ｃ    挿通孔
５２Ｃ１  第１スリット孔
５２Ｃ２  第２スリット孔
５２Ｄ    支持柱
５２Ｄ１  収容凹部
５２Ｅ    支持柱
５２Ｆ    切欠部
５４      スライダ
５４Ａ    ガイド部
５４Ｂ    挿通孔
５４Ｃ    ガイド凹部
５４Ｄ    ガイド凹部
５４Ｅ    ガイドレール
５４Ｆ    ガイド溝
５６      節度機構
５７      節度部材
５７Ａ    節度部
５８      付勢バネ
６０      スライド操作機構
６１      移動機構
６２      シャフト
６２Ａ    シャフトベース
６２Ｂ    ストッパ片
６２Ｂ１  基部
６２Ｂ２  ストッパ部
６２Ｃ    シャフト本体
６２Ｄ    操作軸
６２Ｅ    ピン収容部
６２Ｅ１  第１ピン収容部
６２Ｅ２  第２ピン収容部
６２Ｆ    固定凹部
６４      ピン
６４Ａ    鍔部
６６      付勢バネ
６８      ノブベース
６８Ａ    固定孔
６８Ｂ    ガイド片
６８Ｃ    ガイドレール
６８Ｄ    ガイド溝
６８Ｅ    係合片
６８Ｅ１  係合孔
７０      基板
７２      スイッチ
７４      接続部材
８０      スライドノブ（第１部材）
８０Ａ    ガイド部
８０Ｂ    ボス
８０Ｃ    凹部
８０Ｄ    鍔部
８２      タッチパッド
８４      ノブリング
８４Ａ    固定片
９０      検出機構
９２      プレート
９２Ａ    第１プレート部
９２Ｂ    第２プレート部
９２Ｃ    嵌合孔
９４Ａ    第１反射板
９４Ｂ    第１反射板
９６      第２反射板
９８Ａ    レンズ
９８Ｂ    レンズ
１００    リフレクタリング
１００Ａ  嵌合片
１０２    凹凸部
１０２Ａ  凹部
１０２Ｂ  凸部
１１０    操作装置
ＡＬ      軸線
Ｌ１      第１基準線
Ｌ２      第２基準線
ＳＣ１    ネジ
ＳＣ２    ネジ
Ｐ        パネル
【図１】
2019110034.tif 000003
【図２】
2019110034.tif 000004
【図３】
2019110034.tif 000005
【図４】
2019110034.tif 000006
【図５】
2019110034.tif 000007
【図６】
2019110034.tif 000008
【図７】
2019110034.tif 000009
【図８】
2019110034.tif 000010
【図９】
2019110034.tif 000011
【図１０】
2019110034.tif 000012
【図１１】
2019110034.tif 000013
【図１２】
2019110034.tif 000014